(57)【要約】      （修正有）【課題】簡易な構成で生産者側と販売者（購入者）側との商取引をマッチングする生花等の取引マッチング方法を提供する。【解決手段】端末装置１４は生花等の商品に関する商品情報を管理サーバー１２に登録するための商品情報登録部を有する。端末装置１６は管理サーバー１２に登録された商品情報の中から任意の商品を注文するための商品注文部を有する。管理サーバー１２は商品注文部からの注文を受けたときに端末装置１４および端末装置１６に対して注文情報を電子メールにより報知する報知部を有する。端末装置１６は注文情報が示された電子メールを受けて端末装置１４に対して購入依頼情報を電子メールで送信する購入依頼送信部をさらに有する。端末装置１４は購入依頼情報が示された電子メールを受けて端末装置１６に対して所定の金額情報を電子メールで送信する請求金額送信部をさらに有する。【選択図】図１
2016004512.tif 000002
【特許請求の範囲】
【請求項１】
管理サーバーと、生産者側の端末装置と、購入者側の端末装置と、を含む生花等の取引マッチングシステムであって、
前記生産者側の端末装置は、生花等の商品に関する商品情報を前記管理サーバーに登録するための商品情報登録部を有し、
前記購入者側の端末装置は、前記管理サーバーに登録された商品情報の中から任意の商品を注文するための商品注文部を有し、
前記管理サーバーは、前記商品注文部からの注文を受けたときに前記生産者側の端末装置および前記購入者側の端末装置に対して注文情報を電子メールにより報知する報知部を有し、
前記購入者側の端末装置は、前記注文情報が示された前記電子メールを受けて前記生産者側の端末装置に対して購入依頼情報を電子メールで送信する購入依頼送信部をさらに有し、
前記生産者側の端末装置は、前記購入依頼情報が示された前記電子メールを受けて前記購入者側の端末装置に対して所定の金額情報を電子メールで送信する請求金額送信部をさらに有することを特徴とする生花等の取引マッチングシステム。
【請求項２】
前記管理サーバーは、前記商品注文部から商品の注文を受けるたびに商品の在庫数を減算処理するための在庫数調整部をさらに有することを特徴とする請求項１に記載の生花等の取引マッチングシステム。
【請求項３】
前記生産者側の端末装置は、当該端末装置に内蔵された撮影部により取得した商品に関する写真情報を商品情報入力画面に挿入するための写真情報挿入部をさらに有することを特徴とする請求項１又は２に記載の生花等の取引マッチングシステム。
【請求項４】
前記管理サーバーは、前記商品注文部から注文を受けた商品情報を表示状態から非表示状態に切り替える表示制御部をさらに有することを特徴とする請求項１乃至３のいずれか１項に記載の生花等の取引マッチングシステム。
【請求項５】
生産者側の端末装置から生花等の商品に関する商品情報を管理サーバーに登録するための商品情報登録ステップと、
購入者側の端末装置から前記管理サーバーに登録された商品情報の中から任意の商品を注文するための商品注文ステップと、
前記購入者側の端末装置から注文を受けたときに前記管理サーバーから前記生産者側の端末装置および前記購入者側の端末装置に対して注文情報を電子メールにより報知する報知ステップと、
前記電子メールの注文情報に基づき、前記購入者側の端末装置から前記生産者側の端末装置に対して購入依頼情報を電子メールで送信する購入依頼送信ステップと、
前記購入依頼情報に基づき、前記生産者側の端末装置から前記購入者側の端末装置に対して所定の金額情報を電子メールで送信する請求金額送信ステップと、
を含むことを特徴とする生花等の取引マッチング方法。
【請求項６】
前記管理サーバーに登録された商品の在庫数を、当該商品の注文を受けるたびに減算処理するための在庫数調整ステップをさらに有することを特徴とする請求項５に記載の生花等の取引マッチング方法。
【請求項７】
前記生産者側の端末装置に内蔵された撮影部により取得した商品に関する写真情報を前記生産者側の端末装置から前記管理サーバーに登録するための商品登録画面に挿入する写真情報挿入ステップをさらに有することを特徴とする請求項５又は６に記載の生花等の取引マッチング方法。
【請求項８】
前記購入者側の端末装置から注文を受けた商品情報を表示状態から非表示状態に切り替える表示制御ステップをさらに有することを特徴とする請求項５乃至７のいずれか１項に記載の生花等の取引マッチング方法。
【発明の詳細な説明】
【技術分野】
【０００１】
本発明は、生花等の取引マッチングシステム及び取引マッチング方法に関する。
【背景技術】
【０００２】
従来からインターネット等の通信回線を利用した様々な流通・販売システムが知られている。
【０００３】
例えば、特許文献１では、花の注文生産システムが開示されている。この花の注文生産システムでは、贈呈者がインターネット回線を用いて、生産管理者の受注テーブルの少なくとも花の品種と贈呈日の発注要件を選択する。生産管理者は、通信回線を用いて、生産者に、前記花の品種と贈呈日の情報を伝えて花の育成を発注する。育成発注を受けた生産者は、所定の品種の花を所定の贈呈日までに育成し、贈呈者に出荷する。
【０００４】
例えば、特許文献２では、生花等生産・流通・販売支援システムが開示されている。この生花等生産・流通・販売支援システムでは、生産者が使用する第１のコンピュータと、仲介者が使用する第２のコンピュータと、販売者が使用する第３のコンピュータと、消費者が使用する第４のコンピュータや携帯電話と、システム管理者が使用する第５のコンピュータと、をネットワーク接続し、システムとして、生産を支援するための生産支援サブシステムと、流通を支援する流通支援サブシステムと、販売を支援する販売支援サブシステムと、消費者を支援する消費者支援サブシステムを設け、流通支援サブシステムに、生花等を高鮮度に搬送するための梱包資材管理機能を設けている。
【先行技術文献】
【特許文献】
【０００５】
【特許文献１】特開２００７−４８２４４号公報
【特許文献２】特開２０１２−３８１８２号公報
【発明の概要】
【発明が解決しようとする課題】
【０００６】
ところで、特許文献１では、生産者と商品者との間の生産・販売システムであり、生産者と商品者とのクローズな関係を前提にした、いわゆる一般的なネット販売あるいは生産の受注システムと同じである。しかしながら、生花業界では、生花の生産者と商品者との間ではなく、多くの花屋等の小売業者が介在しているため、生産者と小売業者と消費者との間の取引システムを構築しなければ、業界の活性化を図ることができない。よって、特許文献１のビジネスモデルシステムでは、業界の発展に寄与することは困難である。
【０００７】
また、特許文献２では、生産者、仲介者、販売者、消費者及びシステム管理者の５者のいわゆる商取引を結びつけるシステムである。しかしながら、５者のいわゆる商取引を結びつけるシステムでは、システム及びコンテンツの内容が複雑になり過ぎ、システムの開発・維持コストが高くなり、これらが利用者に対するシステム利用料の高騰という形で還元されるため、不便である。
【０００８】
そこで、本発明は、上記問題に鑑み、簡易な構成で生産者と販売業者（購入者）との商取引をマッチングする生花等の取引マッチングシステム及び取引マッチング方法を提供することを目的とする。
【課題を解決するための手段】
【０００９】
第１の発明は、管理サーバーと、生産者側の端末装置と、購入者側の端末装置と、を含む生花等の取引マッチングシステムであって、前記生産者側の端末装置は、生花等の商品に関する商品情報を前記管理サーバーに登録するための商品情報登録部を有し、前記購入者側の端末装置は、前記管理サーバーに登録された商品情報の中から任意の商品を注文するための商品注文部を有し、前記管理サーバーは、前記商品注文部からの注文を受けたときに前記生産者側の端末装置および前記購入者側の端末装置に対して注文情報を電子メールにより報知する報知部を有し、前記購入者側の端末装置は、前記注文情報が示された前記電子メールを受けて前記生産者側の端末装置に対して購入依頼情報を電子メールで送信する購入依頼送信部をさらに有し、前記生産者側の端末装置は、前記購入依頼情報が示された前記電子メールを受けて前記購入者側の端末装置に対して所定の金額情報を電子メールで送信する請求金額送信部をさらに有することを特徴とする。
【００１０】
この場合、前記管理サーバーは、前記商品注文部から商品の注文を受けるたびに商品の在庫数を減算処理するための在庫数調整部をさらに有することを特徴とする。
【００１１】
この場合、前記生産者側の端末装置は、当該端末装置に内蔵された撮影部により取得した商品に関する写真情報を商品情報入力画面に挿入するための写真情報挿入部をさらに有することを特徴とする。
【００１２】
この場合、前記管理サーバーは、前記商品注文部から注文を受けた商品情報を表示状態から非表示状態に切り替える表示制御部をさらに有することを特徴とする。
【００１３】
第２の発明は、生産者側の端末装置から生花等の商品に関する商品情報を管理サーバーに登録するための商品情報登録ステップと、購入者側の端末装置から前記管理サーバーに登録された商品情報の中から任意の商品を注文するための商品注文ステップと、前記購入者側の端末装置から注文を受けたときに前記管理サーバーから前記生産者側の端末装置および前記購入者側の端末装置に対して注文情報を電子メールにより報知する報知ステップと、前記電子メールの注文情報に基づき、前記購入者側の端末装置から前記生産者側の端末装置に対して購入依頼情報を電子メールで送信する購入依頼送信ステップと、前記購入依頼情報に基づき、前記生産者側の端末装置から前記購入者側の端末装置に対して所定の金額情報を電子メールで送信する請求金額送信ステップと、を含むことを特徴とする。
【００１４】
この場合、前記管理サーバーに登録された商品の在庫数を、当該商品の注文を受けるたびに減算処理するための在庫数調整ステップをさらに有することを特徴とする。
【００１５】
この場合、前記生産者側の端末装置に内蔵された撮影部により取得した商品に関する写真情報を前記生産者側の端末装置から前記管理サーバーに登録するための商品登録画面に挿入する写真情報挿入ステップをさらに有することを特徴とする。
【００１６】
この場合、前記購入者側の端末装置から注文を受けた商品情報を表示状態から非表示状態に切り替える表示制御ステップをさらに有することを特徴とする。
【発明の効果】
【００１７】
本発明によれば、簡易な構成で生産者と販売業者（購入者）との商取引をマッチングすることができる。
【図面の簡単な説明】
【００１８】
【図１】本発明の一実施形態の生花等の取引マッチングシステムの概念図である。
【図２】本発明の一実施形態の生花等の取引マッチングシステムの管理サーバーの説明図である。
【図３】本発明の一実施形態の生花等の取引マッチングシステムの生産者側の端末装置の説明図である。
【図４】本発明の一実施形態の生花等の取引マッチングシステムの購入者側の端末装置の説明図である。
【図５】本発明の一実施形態の生花等の取引マッチングシステムのタイムチャートである。
【図６】本発明の一実施形態の生花等の取引マッチング方法のフローチャートである。
【図７】本発明の一実施形態の生花等の取引マッチングシステムのメニュー画面の一例を示した図である。
【図８】本発明の一実施形態の生花等の取引マッチングシステムの管理メニューにおけるユーザー管理画面の一例を示した図である。
【図９】本発明の一実施形態の生花等の取引マッチングシステムの管理メニューにおけるユーザー追加画面の一例を示した図である。
【図１０】本発明の一実施形態の生花等の取引マッチングシステムの管理メニューにおけるユーザー編集画面の一例を示した図である。
【図１１】本発明の一実施形態の生花等の取引マッチングシステムの管理メニューにおける管理商品一覧画面の一例を示した図である。
【図１２】本発明の一実施形態の生花等の取引マッチングシステムの管理メニューにおける管理オススメ設定画面の一例を示した図である。
【図１３】本発明の一実施形態の生花等の取引マッチングシステムの管理メニューにおける取引履歴画面の一例を示した図である。
【図１４】本発明の一実施形態の生花等の取引マッチングシステムの商品の購入メニューにおけるオススメ画面の一例を示した図である。
【図１５】本発明の一実施形態の生花等の取引マッチングシステムの商品の購入メニューにおける商品一覧画面の一例を示した図である。
【図１６】本発明の一実施形態の生花等の取引マッチングシステムの商品の購入メニューにおける購入履歴画面の一例を示した図である。
【図１７】本発明の一実施形態の生花等の取引マッチングシステムの商品の購入メニューにおける履歴検索画面の一例を示した図である。
【図１８】本発明の一実施形態の生花等の取引マッチングシステムの商品の購入手順１におけるオススメ画面の一例を示した図である。
【図１９】本発明の一実施形態の生花等の取引マッチングシステムの商品の購入手順２における商品一覧画面の一例を示した図である。
【図２０】本発明の一実施形態の生花等の取引マッチングシステムの商品の購入手順３における商品詳細画面の一例を示した図である。
【図２１】本発明の一実施形態の生花等の取引マッチングシステムの商品の購入手順４における商品詳細画面の一例を示した図である。
【図２２】本発明の一実施形態の生花等の取引マッチングシステムの商品の購入手順５における商品詳細画面の一例を示した図である。
【図２３】本発明の一実施形態の生花等の取引マッチングシステムの商品の購入手順６におけるカート内情報画面の一例を示した図である。
【図２４】本発明の一実施形態の生花等の取引マッチングシステムの商品の購入手順７におけるカート内情報画面の一例を示した図である。
【図２５】本発明の一実施形態の生花等の取引マッチングシステムの商品の購入手順８におけるカート内情報画面の一例を示した図である。
【図２６】本発明の一実施形態の生花等の取引マッチングシステムの商品の登録手順１におけるＭＦＧ  Ｃｌｉｅｎｔファイルのトップ画面の一例を示した図である。
【図２７】本発明の一実施形態の生花等の取引マッチングシステムの商品の登録手順２におけるＭＦＧ  Ｃｌｉｅｎｔファイルの商品の入力画面の一例を示した図である。
【図２８】本発明の一実施形態の生花等の取引マッチングシステムの商品の登録手順３におけるＭＦＧ  Ｃｌｉｅｎｔファイルの商品の入力画面の一例を示した図である。
【図２９】本発明の一実施形態の生花等の取引マッチングシステムの商品の登録手順４におけるＭＦＧ  Ｃｌｉｅｎｔファイルの商品の入力画面の一例を示した図である。
【図３０】本発明の一実施形態の生花等の取引マッチングシステムの商品の登録手順５におけるＭＦＧ  Ｃｌｉｅｎｔファイルの保存一覧画面の一例を示した図である。
【図３１】本発明の一実施形態の生花等の取引マッチングシステムの商品の登録手順６におけるＭＦＧ  Ｃｌｉｅｎｔファイルの商品詳細画面の一例を示した図である。
【図３２】本発明の一実施形態の生花等の取引マッチングシステムの商品の編集メニューにおける掲載商品画面の一例を示した図である。
【発明を実施するための形態】
【００１９】
本発明の一実施形態に係る生花等の取引マッチングシステム及び生花等の取引マッチング方法について、図面を参照して説明する。
【００２０】
（生花等の取引マッチングシステム）
先ず、生花等の取引マッチングシステムの概念について説明する。
【００２１】
図１に示すように、生花等の取引マッチングシステム１０は、管理サーバー１２と、生産者側の端末装置１４と、購入者側の端末装置１６と、を有している。なお、生産者でありかつ購入者である場合、生産者側の端末装置１４と購入者側の端末装置１６の両方の機能を備えた端末装置を使用する。
【００２２】
［管理サーバー］
図２に示すように、管理サーバー１２は、生花等の取引マッチングシステム１０を統括的制御するものである。
【００２３】
管理サーバー１２は、主として、主制御部１２Ａと、記憶部１２Ｂと、表示制御部１２Ｃと、情報入力部１２Ｄと、報知部１２Ｅと、在庫調整部１２Ｆと、を含んでいる。
【００２４】
主制御部１２Ａは、生花等の取引マッチングシステム１０の動作・制御を統括的に司るものである。主制御部１２Ａは、例えば、記憶部１２Ｂに格納された動作プログラムを呼び出し、当該動作プログラムに基づいて当該取引マッチングシステム１０の動作を制御する。
【００２５】
記憶部１２Ｂには、例えば、上記取引マッチングシステム１０の動作を制御するための動作プログラム及びデジタルデータ等が格納されている。また、生産者及び購入者等の個人情報が記憶されている。さらには、出品する商品に関する情報（写真データ、画像データ、動画データ、在庫数等も含む）が記憶されている。
【００２６】
また記憶部１２Ｂには、例えば、商品一覧画面、商品詳細画面、管理者用画面等に関するデータが記憶されている。
【００２７】
管理用画面では、全ての利用者のＩＤの追加・削除機能、商品表示順序の変更機能、商品の表示・非表示の切替機能、購入履歴表示機能、出品履歴表示機能、出品期間管理機能により各情報を管理したり、あるいは表示することができる。
【００２８】
表示制御部１２Ｃは、管理サーバー１２が保有する情報を各端末装置１４、１６の液晶画面等で正確に表示するために、管理サーバー１２に記憶された情報表示を制御するものである。
【００２９】
表示制御部１２Ｃは、全ての情報のうち、特定の情報に対する表示・非表示を設定することが可能である。表示制御部１２Ｃは、例えば、例えば、注文済みの商品を非表示設定する。
【００３０】
情報入力部１２Ｄは、入力操作により各種情報を入力する。
【００３１】
報知部１２Ｅは、商品の注文を受け付ける機能を有しており、注文後に、注文確認メールを生産者側と購入者側に送信する。主制御部１２Ａは、商品の種類、産地、名称、出品者などの抽出機能や検索機能を有している。
【００３２】
在庫調整部１２Ｆは、生花等の商品の在庫数の増減を制御する。例えば、購入者側の端末装置１６がある商品を１個だけ注文処理を実行すると、当該商品の現在の在庫数から１を減算処理（−１）する。また、例えば、生産者側の端末装置１４がある商品を管理サーバー１２に１個だけアップロードすると、当該商品の現在の在庫数から１を加算処理（＋１）する。
【００３３】
［生産者側の端末装置］
生産者側の端末装置１４は、例えば、商品を生産する生産者等が所有する端末装置である。デスクトップパソコンに限らず、スマートフォン等のモバイル型の端末装置全般が含まれる。
【００３４】
生産者側の端末装置１４は、１つのものに限られず、複数の端末装置を含んだ端末装置群が該当する。なお、生産者の一例として、例えば、木・草・花等を生産する生産者（例えば園芸農家）等を想定している。
【００３５】
生産者側の端末装置１４は、例えば、主制御部１４Ａと、記憶部１４Ｂと、表示制御部１４Ｃと、情報入力部１４Ｄと、商品情報登録部１４Ｅと、写真情報挿入部１４Ｆと、商品情報アップロード部１４Ｇと、請求金額送金部１４Ｈと、撮影部１４Ｉと、を含んでいる。
【００３６】
主制御部１４Ａは、生産者側の端末装置１４の動作全体を制御するものであり、例えば、記憶部１４Ｂに記憶された動作プログラムを読み出して、生花等の取引マッチングシステム１０を利用可能にする。
【００３７】
なお、生花等の取引マッチングシステム１０を利用する場合、管理サーバー１２から生花等の取引マッチングシステム１０に関する動作プログラムあるいはアプリケーションをダウンロード等により生産者側の端末装置１４側に保存しておくことが好ましい。また、生花等の取引マッチングシステム１０を使用するためのアカウント画面の情報を記憶部１４Ｂに設定することにより、管理サーバー１２の生花等の取引マッチングシステム１０を利用することができる。
【００３８】
記憶部１４Ｂには、動作プログラムやアプリケーションの他に、生産者側の端末装置１４から入力した情報、管理サーバー１２あるいは生産者側の端末装置１４側から送信された情報等が記憶される。なお、生花等の取引マッチングシステム１０に使用する動作プログラムやアプリケーションは、管理サーバー１２からダウンロード等により記憶部１４Ｂに保存する。
【００３９】
表示制御部１４Ｃは、生産者側の端末装置１４の液晶画面を表示制御するものであり、例えば、商品情報入力画面（商品の説明・価格・画像情報等）、出品中の商品確認画面、販売済み商品の確認画面、出品取り消し画面等を表示することができる。
【００４０】
情報入力部１４Ｄは、入力操作により各種情報を入力する。
【００４１】
商品情報登録部１４Ｅは、データや商品情報を取得し保存する機能を有しており、例えば、端末装置１４で撮影したり、あるいはダウンロード等により取り入れた商品等の写真データ、静止画データ、動画データ等を保存する。
【００４２】
写真情報挿入部１４Ｆは、商品情報登録部１４Ｅに登録された商品情報を商品情報入力画面に挿入するための機能を有する。
【００４３】
特に、写真情報挿入部１４Ｆは、端末装置１４に内蔵されているカメラ等の撮影部１４Ｉで撮影した写真データ・画像データ・動画データ等を当該撮影した瞬間に商品入力画面の所定の領域に挿入処理する。これにより、端末装置１４に内蔵されている撮影部１４Ｉを利用して取得した写真データ等の管理サーバー１２に対するアップロード作業が容易になる。
【００４４】
商品情報アップロード部１４Ｇは、商品情報を管理サーバー１２に対してアップロードする機能を有し、具体的には商品情報等が入力された商品情報入力画面の入力内容に関するデータを管理サーバー１２に送信して、出品商品をアップロードする。
【００４５】
ここで、商品情報入力画面の所定の領域には、商品情報登録部１４Ｅに登録された写真情報あるいは写真情報挿入部１４Ｆによって挿入された商品の写真情報が入力されている。その他、生産者の個人情報・費用等が入力されていてもよい。
【００４６】
なお、管理サーバー１２にアップロードされた商品情報等は、管理サーバー１２の記憶部１２Ｂに記憶される。
【００４７】
請求金額送信部１４Ｈは、購入者側の端末装置１６の購入依頼送信部１６Ｆからの電子メール、ＦＡＸ等による連絡に応じて当該購入者側の端末装置１６に対して請求金額、支払情報、購入商品等の経理情報が記載された電子メールを送信する。
【００４８】
このとき、請求金額送信部１４Ｈは、購入者側の端末装置１６から送信されてきた購入依頼者の個人情報と上記経理情報をそのまま利用する形で電子メール（例えば、テキスト）に挿入し、所定のタイミングで購入者側の端末装置１６に対して送信処理するように設定してもよいし、生産者側の手入力で作成した電子メールを送信処理するようにしてもよい。
【００４９】
生産者側の端末装置１４から所定のＩＤおよびパスワードを入力して、管理サーバー１２に格納された取引システムにログインする。生産者側の端末装置１４の液晶画面等では、例えば、商品情報入力画面（商品の説明・価格・画像情報など）と、出品中の商品確認画面と、販売済み商品の確認画面と、出品取り消し画面と、が表示可能になる。
【００５０】
なお、生産者側の端末装置１４は、商品情報入力画面のみをオフラインで利用することが可能となるように設定されている。
【００５１】
［購入者側の端末装置］
購入者側の端末装置１６は、例えば、商品を購入する購入者等が所有する端末装置である。デスクトップパソコンに限らず、スマートフォン等のモバイル型の端末装置全般が含まれる。
【００５２】
購入者側の端末装置１６は、１つのものに限られず、複数の端末装置を含んだ端末装置群が該当する。なお、購入者の一例として、例えば、木・草・花等を販売する販売者（例えば花屋）等を想定している。
【００５３】
購入者側の端末装置１６は、例えば、主制御部１６Ａと、記憶部１６Ｂと、表示制御部１６Ｃと、情報入力部１６Ｄと、商品注文部１６Ｅと、購入依頼送信部１６Ｆと、撮影部１６Ｇと、を含んでいる。
【００５４】
主制御部１６Ａは、購入者側の端末装置１６の動作全体を制御するものであり、例えば、記憶部１６Ｂに記憶された動作プログラムを読み出して、生花等の取引マッチングシステム１０を利用可能にする。
【００５５】
なお、生花等の取引マッチングシステム１０を利用する場合、管理サーバー１２から生花等の取引マッチングシステム１０に関する動作プログラムあるいはアプリケーションをダウンロード等により購入者側の端末装置１６側に保存しておくことが好ましい。また、生花等の取引マッチングシステム１０を使用するためのアカウント画面の情報を記憶部１６Ｂに設定することにより、管理サーバー１２の生花等の取引マッチングシステム１０を利用することができる。
【００５６】
記憶部１６Ｂには、例えば、上記取引マッチングシステム１０の動作を制御するための動作プログラム及びデータ等が格納されている。また、購入者等の個人情報が記憶されている。さらには、購入・注文した商品及び生産者の情報（写真データ等も含む）が記憶されている。なお、生花等の取引マッチングシステム１０に使用する動作プログラムやアプリケーションは、管理サーバー１２からダウンロード等により記憶部１６Ｂに保存する。
【００５７】
表示制御部１６Ｃは、購入者側の端末装置１６の液晶画面を表示制御するものであり、例えば、商品一覧画面、商品詳細画面、商品購入画面等を表示することができる。
【００５８】
情報入力部１６Ｄは、入力操作により各種情報を入力する。
【００５９】
商品注文部１６Ｅは、購入を希望する商品等の商品情報を特定した購入処理を実行する。例えば、商品の情報・個数等を所定の商品購入画面の所定の領域に入力し、そこに入力された商品購入情報・データを保持して管理サーバー１２へ送信する。
【００６０】
購入依頼送信部１６Ｆは、購入者側の端末装置１６からの商品注文情報を受けて管理サーバー１２から送信されてくる電子メールの注文情報に基づき、購入者の購入依頼情報（例えば、住所・氏名等の個人情報、商品情報等）を生産者側の端末装置１４に対して電子メールで送信する。
【００６１】
ここで、購入者の個人情報・商品情報等は、購入者がその都度手入力してもよく、あるいは購入者側の端末装置１６の記憶部１６Ｂに記憶されている個人情報、商品注文部で特定した購入希望の商品情報を利用してもよい。
【００６２】
後者の場合には、電子メールの所定の様式情報と前記個人情報、前記商品情報とがリンクして記憶されており、当該様式を立ち上げたときに当該様式（例えばテキスト等）に購入者の個人情報・商品情報が自動的に挿入される。これにより、購入依頼時の個人情報・商品情報の入力作業が容易になる。
【００６３】
なお、管理サーバー１２の報知部１２Ｅから送信される電子メールの中の注文情報を利用する場合には、購入依頼送信部１６Ｆから送信する情報から上記商品情報を削除できる。
【００６４】
購入者側の端末装置１６から所定のＩＤおよびパスワードを入力して、購入者側の端末装置１６側で管理サーバー１２に格納された取引マッチングシステム１０にログインする。購入者側の端末装置１６の液晶画面等には、例えば、商品一覧画面と、商品詳細画面と、が表示される。
【００６５】
購入者側の端末装置１６は、商品一覧画面で表示された複数の商品の中から任意の商品を注文することができる。
【００６６】
なお、購入者側の端末装置１６は、オンライン環境でのみ利用することができるように設定されている。
【００６７】
ここで、商品の経理処理及び発送処理については、以下の構成を各端末装置に追加してもよい。
【００６８】
図３に示すように、生産者側の端末装置１４は、入金確認部１４Ｊと、商品発送部１４Ｋと、をさらに有している。
【００６９】
入金確認部１４Ｊは、購入者あるいは購入者側の端末装置１６からの送金処理が正常に完了した情報を金融機関等から受信したときに、入金確認済みの電子メールを作成し、購入者側の端末装置１６に対して送信する。
【００７０】
ここで、注文依頼があった購入者の情報は全て入金待ちの欄に入力処理されるが、入金確認がとれた情報は、入金待ちの欄から削除される。
【００７１】
なお、入金確認部１４Ｊは、購入者あるいは購入者側の端末装置１６からの送金処理が正常に完了した情報を所定の支払い期限日において受信していないときは、購入者側の端末装置１６に対して入金催促を示した電子メールを送信する。当該入金催促を示した電子メールの送信回数は、生産者側の端末装置１４で適宜設定することができる。
【００７２】
商品発送部１４Ｋは、入金済みの商品から順次、発送処理を実行する。発送処理として、例えば、発送を担当する所定の者（内部・外部含む）に対して発送依頼処理を実行する。
【００７３】
なお、商品の発送手段として、自社で実行する場合の他に、外部の配送会社を利用してもよい。
【００７４】
図４に示すように、購入者側の端末装置１６は、送金部１６Ｈと、商品受領部１６Ｉと、をさらに有している。
【００７５】
送金部１６Ｈは、生産者側の端末装置１４から送信されてきた請求書に基づき、所定の請求額を、指定された金融機関の口座に対して送金処理する。
【００７６】
商品受領部１６Ｉは、販売者側から手配された商品を受領したことを確認処理する。商品受領部１６Ｉは、例えば、商品を受領したことを示す商品受領メールを生産者側の端末装置１４に対して送信する。
【００７７】
次に、生花等の取引マッチング方法について説明する。
【００７８】
図５に示すように、生産者が端末装置１４等を利用して商品情報等の出品データを作成する（Ｔ１００）。このとき、端末装置１４に内蔵されているカメラ等の撮影部１４Ｉを起動して商品の写真撮影を行い、写真情報挿入部１４Ｆによって商品の入力画面の所定の領域に写真情報を挿入する。あわせて、入力画面には情報入力部１４Ｄによって商品の説明等を入力する。そして、これらの商品情報は、生産者側の端末装置１４の記憶部１４Ｂに一時的に保存される。
【００７９】
図６のフローチャートでは、Ｓ１００に該当する。
【００８０】
次に、商品情報アップロード部１４Ｇによって、商標情報が管理サーバー１２の記憶部１２Ｂにアップロードされる（Ｔ２００）。
【００８１】
図６のフローチャートでは、Ｓ２００に該当する。
【００８２】
そして、商品一覧画面１０６（図１５参照）が生産者側の端末装置１２及び購入者側の端末装置１６に表示される（Ｔ３００）。
【００８３】
購入側の端末装置１６の商品注文部１６Ｅから注文処理が実行される（Ｔ４００）。
【００８４】
図６のフローチャートでは、Ｓ３００に該当する。
【００８５】
また、商品の注文処理の内容は、購入者側の端末装置１６のショッピングカートへ保存される。
【００８６】
図６のフローチャートでは、Ｓ４００に該当する。
【００８７】
購入側の端末装置１６の商品注文部１６Ｅから注文処理が実行されると、管理サーバー１２の在庫数調整部１２Ｆにより商品の在庫数が調整される（Ｔ５００）。例えば、ある商品の購入処理が確定すると、当該商品の在庫数が−１（マイナス１）される。これにより、在庫数の値は、注文が確定した分だけ減算される。この結果、商品の実際の在庫の数と在庫数の値とが常に一致する。
【００８８】
購入者側の端末装置１６の商品注文部１６Ｅから商品の注文処理が確定した場合、管理サーバー１２が注文内容を記載したテキストファイルを自動的に作成する（Ｔ６００）。そして、管理サーバー１２の報知部１２Ｅから生産者側の端末装置１４および購入者側の端末装置１６に対して注文内容を示した確認メールが自動的に送信される（Ｔ７００，Ｔ８００）。
【００８９】
図６のフローチャートでは、Ｓ５００に該当する。
【００９０】
購入者が確認メールを確認した後、購入者側の端末装置１６の購入依頼送信部１６Ｆから商品の購入を依頼する旨の購入依頼メールを生産者側の端末装置１４に対して送信する（Ｔ９００）。送信先のメールアドレスなどの情報は、確認メール等に記載されていたり、管理サーバー１２に登録されており、これらを利用する。
【００９１】
生産者が購入依頼メールを確認した後（Ｔ１０００）、生産者側の端末装置１４の請求金額送信部１４Ｈは、購入者側の端末装置１６に対して、請求金額及び支払い条件等が記載された請求書を電子メールで送信する（Ｔ１１００）。
【００９２】
購入者が請求書を確認した後（Ｔ１２００）、購入者は、指定された金融機関の口座へ請求金額を送金する（Ｔ１３００）。このとき、購入者側の端末装置１６から送金処理を実行してもよい。このように、送金処理は、購入者側の端末装置１６により実行することができる。
【００９３】
生産者が入金を確認後（Ｔ１４００）、商品の発送処理を実行する（Ｔ１５００）。商品の発送処理は、生産者側の端末装置１４から商品の発送手配を実行することができる。
【００９４】
購入者は、商品を受領する（Ｔ１６００）。このとき、購入者側の端末装置１６から生産者側の端末装置１４に対して商品受領処理を実行することにより、生産者に受領した旨を報知することができる。
【００９５】
以上のように、本実施形態の花等の取引マッチングシステム及び取引マッチング方法によれば、特に、生花等の商取引において、簡易な構成で、生産者側と販売業者（購入者）側との商取引をマッチングすることができる。
【００９６】
特に、購入者が商品を購入するときには、先ず、購入者側の端末装置１６の商品注文部１６Ｅから購入希望の商品に関する情報を含んだ注文信号が管理サーバー１２に対して送信される。そして、管理サーバー１２の報知部１２Ｅは、購入者側の端末装置１６からの注文を受けて生産者側の端末装置１４と購入者側の端末装置１６とに対して、注文内容の確認メールを送信する。
【００９７】
ここで、生産者側の端末装置１４に送信される注文内容の確認メールには、購入者の情報（氏名、住所、商品名、注文個数、メールアドレス等）及び適宜生産者情報が記載されている。また、購入者側の端末装置１６に送信される注文内容の確認メールには、生産者の情報（氏名、住所、商品名、注文個数、メールアドレス等）及び適宜購入者情報が記載されている。これらの生産者及び購入者の情報は、管理サーバー１２に登録された個人情報を挿入して利用する。これにより、管理サーバー１２に手作業により生産者と購入者の情報を入力する必要がなく、メール送信処理が容易になる。
【００９８】
特に、管理サーバー１２の在庫数調整部１２Ｆは、当該商品の注文を受けるたびに商品の在庫数を減算処理するため、商品の実際の在庫数と管理データ上の在庫数とが一致する。このため、在庫不足によるトラブルの未然防止を実現できる。
【００９９】
また、生産者側の端末装置１４の写真情報挿入部１４Ｆによって、当該端末装置１４に内蔵されたカメラ等の撮影部１４Ｉを起動して商品の写真情報を取得する。そして、取得した商品に関する写真情報を商品の入力画面１４０（図２８参照）の所定の領域にそのまま挿入する。さらに商品の入力画面１４０（図２８参照）のデータを管理サーバー１２に対して送信してアップロードが完了する。これにより、出品対象となりそうな商品を発見したときに、自身の端末装置１４に付属するカメラ等の撮影部１４Ｉを利用して商品の写真を撮影し、これをアップロード用のデータとして利用することができる。この結果、アップロード作業が簡易なものになる。
【０１００】
さらに、管理サーバー１２の表示制御部１２Ｃは、商品情報を表示状態から非表示状態に切り替えることができ、特に注文を受けた商品情報を非表示にすることにより、誤認して注文されるトラブルを未然に防止できる。
【０１０１】
次に、生花等の取引マッチングシステムの実施例について説明する。なお、以下の処理は、主として、処理に関係する管理サーバー１２、生産者側の端末装置１４又は購入者側の端末装置１６の主制御部等によって実行される。
【０１０２】
［基本操作処理］
管理サーバー１２及び各端末装置１４、１６の液晶画面において、ＭＦＧのアイコンを選択（タップ、以下同様）する。ダイアログが表示されたときに、「アカウント名」と「パスワード」を入力してログインする。なお、「アカウント名」と「パスワード」は、管理者が予め設定する。
【０１０３】
図７に示すように、ＭＦＧのアイコンがタップされると、各端末装置１４、１６の液晶画面では、商品の購入メニュー１８、マイプロフィールメニュー２０、商品の編集メニュー２２、管理メニュー２４の各メニューが表示される。各メニューを適宜選択することにより、画面の移動が可能になる。なお、各メニューは、タッチパネル式に構成され、指で触れると選択できるようになっている。
【０１０４】
「商品の購入メニュー１８」を選択すると、購入画面へ移動する。
【０１０５】
「マイプロフィールメニュー２０」を選択すると、自身のユーザー情報を表示または編集することができる。
【０１０６】
「商品の編集メニュー２２」を選択すると、管理サーバー１２に保存された商品を編集可能な画面へ移動する。
【０１０７】
「管理メニュー２４」を選択すると、生花等の取引マッチングシステム１０の管理者の設定画面に移動する。
【０１０８】
ここで、「商品の購入メニュー１８」は、「購入者」と「生産購入者」の場合に使用できる。「購入者」の一例として花屋等の小売業者であり、「生産購入者」とは生産者でかつ購入者を意味する。「生産購入者」の一例として、例えば、自身で花を生産しかつ他社からも花を購入する者が該当する。
【０１０９】
「商品の編集メニュー２２」は、「生産者」と「生産購入者」の場合に使用できる。「生産者」とは、花等を生産のみする者である。
【０１１０】
「管理メニュー２４」は、取引マッチングシステムの管理者の場合に使用することができる。管理者としてログインした場合にのみ使用することが可能になる。
【０１１１】
［商品の管理処理］
管理者が管理メニュー２４を選択して管理画面に移動する。管理者がログインした場合にのみ表示される。なお、管理者とは、例えば管理サーバー１２を管理する者を意味する。
【０１１２】
図８に示すように、管理画面の「ユーザー管理２７」に移動すると、ユーザー管理画面２６が表示される。ユーザー管理画面２６において「ユーザー追加２８」を選択することにより、図９に示すユーザー追加画面３０が表示される。ユーザー追加画面３０において、アカウントの情報を入力する。
【０１１３】
ユーザー管理画面２６の「詳細画面へ３２」を選択することにより、図１０に示すユーザー編集画面３４が表示される。ユーザー編集画面３４では、ユーザー情報を入力する。
【０１１４】
ユーザー管理画面２６の「登録商品へ３６」を選択することにより、図１１に示すように、ユーザーが登録している管理商品一覧画面３８を表示できる。
【０１１５】
ユーザー管理画面２６の「端末リセット４０」を選択することにより、端末情報がリセットされる。これにより、ユーザーが端末装置を変更したときに、新しい端末装置でログインすることが可能になる。
【０１１６】
ユーザー管理画面２６の「Ｐａｓｓ変更４２」を選択することにより、ユーザーのパスワードを変更できる。
【０１１７】
ユーザー管理画面２６の「使用停止４４」を選択することにより、ユーザーを一時的にログイン不可の状態にする。ログイン不可の状態で使用停止４４を選択することにより、ログイン不可が解除される。
【０１１８】
ユーザー管理画面２６の「削除４６」を選択することにより、ユーザーを削除できる。削除されたユーザーの登録商品も同時に削除される。
【０１１９】
図１１に示すように、ユーザー管理画面２６の「商品管理４８」を選択すると、現在登録されている管理商品一覧画面３８が表示される。そして、管理商品一覧画面３８の「オススメ設定５０」を選択することにより、図１２に示すように、管理オススメ設定画面５２へ移動する。
【０１２０】
図１２に示すように、管理オススメ設定画面５２では、「花（カテゴリー）５４」、「その他（カテゴリー）５６」、「商品のステータス５８」、「解除６０」、「追加６２」、「上へ移動６４」、「下へ移動６６」等が表示される。
【０１２１】
「花（カテゴリー）５４」は、花のオススメ設定を表示する。
【０１２２】
「その他（カテゴリー）５６」は、その他のオススメ設定を表示する。
【０１２３】
「商品のステータス５８」は、商品の現在状況を表示する。
【０１２４】
「解除６０」は、設定されている商品のオススメ設定を解除する。
【０１２５】
「追加６２」は、商品をオススメ設定する。当該設定された商品は購入画面でオススメ商品として表示される。
【０１２６】
「上へ移動６４」は、商品表示の優先順位を上げる。
【０１２７】
「下へ移動６６」は、商品表示の優先順位を下げる。
【０１２８】
図１１に示すように、管理商品一覧画面３８の「詳細画面へ６８」を選択することにより、商品の詳細情報の表示編集画面へ移動する。
【０１２９】
管理商品一覧画面３８の「商品ステータス７０」を選択することにより、商品の現在状況を表示する。
【０１３０】
管理商品一覧画面３８の「この商品の取引履歴７２」を選択することにより、この商品の取引履歴画面へ移動する。
【０１３１】
管理商品一覧画面３８の「掲載一時停止へ７４」を選択することにより、選択商品の掲載を停止する。選択商品の停止中に「掲載一時停止へ７４」を選択することにより、掲載が再開される。
【０１３２】
管理商品一覧画面３８の「削除７６」を選択することにより、商品を削除する。
【０１３３】
図１３に示すように、「取引管理７８」を選択すると、現在の取引履歴画面８０が表示される。そして、取引履歴画面８０の「ランキング８２」を選択することにより、現在のランキングが表示される。
【０１３４】
取引履歴画面８０の販売者メールアドレス欄８４には、販売者のメールアドレスが表示される。
【０１３５】
取引履歴画面８０の購入者メールアドレス欄８６には、購入者のメールアドレスが表示される。
【０１３６】
取引履歴画面８０の販売者送信ステータス８８には、販売者へ送信処理されたメールの状況を表示する。上記した販売者メールアドレスに対して販売メールを再送することもできる。
【０１３７】
取引履歴画面８０の購入者送信ステータス９０には、購入者へ送信処理されたメールの状況を表示する。上記した購入者メールアドレスに対して購入メールを再送することもできる。
【０１３８】
図８に示すように、ユーザー管理画面２６の「検索９２」を選択すると、各カテゴリーに対してそれぞれの検索画面へ移動する。検索画面では、それぞれのフィールドに検索したいキーワードを入力する。検索実行ボタンを選択すると、検索が開始される。
【０１３９】
［商品の購入処理］
図７に示すように、購入者又は生産購入者が「商品の購入メニュー２２」を選択して購入画面に移動する。購入者又は生産購入者がログインした場合にのみ表示される。
【０１４０】
図１４に示すように、購入画面の「オススメ１０２」に移動すると、オススメ画面９４が表示される。オススメ画面９４の「カート９６」では、現在カートに入っている商品数を表示する。当該アイコンを選択すると、購入画面へ移動する。
【０１４１】
オススメ画面９４の「カテゴリータブ９８」により、花とその他とが自在に切り替えられる。
【０１４２】
オススメ画面９４には、単数又は複数のオススメ商品１００が表示されている。各商品の画像を選択することにより、各商品のページへ移動する。
【０１４３】
図１５に示すように、「商品一覧１０４」を選択すると、現在公開されている商品一覧画面１０６が表示される。
【０１４４】
商品一覧画面１０６の「表示タブ１０８」は、掲載順とランキング順に表示を切り替える。
【０１４５】
商品一覧画面１０６の「この生産者の商品へ１１０」は、選択した商品の生産者の公開商品を表示する。
【０１４６】
商品一覧画面１０６の「詳細画面へ１１２」は、商品の詳細を表示する。
【０１４７】
図１６に示すように、「購入履歴１１４」を選択すると、過去に購入した商品一覧である購入履歴画面１１６が表示される。
【０１４８】
購入履歴画面１１６の「表示タブ１１８」は、購入順と販売者順に表示を切り替える。
【０１４９】
購入履歴画面１１６の「この生産者の商品へ１２０」は、選択した商品の生産者の公開商品を表示する
【０１５０】
図１７に示すように、商品一覧画面１０６の「検索１２２」を選択すると、履歴検索画面１２４が表示される。
【０１５１】
履歴検索画面１２４では、出品Ｎｏ、受付Ｎｏ、購入日、品名、生産者名、カテゴリー等による検索が可能になる。
【０１５２】
（商品の購入手順）
先ず、図７に示すように、トップ画面上の「商品の購入メニュー１８」をタップする。そして、図１８に示すように、オススメ画面９４のページから購入する場合には、購入する商品ＴＧ（ターゲット）をタップする。
【０１５３】
図１９に示すように、商品一覧画面１０６において購入したい商品ＴＧが表示されれば、当該商品の右の「詳細画面へ１１２」をタップする。
【０１５４】
図２０に示すように、「詳細画面へ１１２」をタップすると、商品詳細画面１２６が表示される。商品の詳細内容を確認後、数量をタップする。
【０１５５】
図２１に示すように、数量をタップすると、画面下にテンキー１２８が表示され、テンキー１２８により購入したい数量を入力する。例として、５が入力されている。数量入力後、「カートに入れる１３０」をタップする。
【０１５６】
図２２に示すように、「カートに入れる１３０」をタップすると、カートに商品が追加される。例えば、画面右上のカートアイコンに「１」と表示される。画面右上のカートアイコン１３２をタップすると、図２３に示すカート内情報画面１３４が表示される。
【０１５７】
図２３に示すように、カート内の情報が表示された後、購入する数量を確認する。数量を変更する場合には、数量をタップして正確な数量に訂正する。なお、カートに入れた商品を取り消す場合には、削除をタップする。そして、注文する場合には、画面右上の「ご注文」をタップする。
【０１５８】
図２４に示すように、「この商品を注文いたしますか？」のメッセージが表示され、ＯＫをタップすると、注文が完了する。ＯＫをタップした時点で注文が確定する。
【０１５９】
図２５に示すように、「商品が注文されました」のメッセージが表示される。なお、図１、図５及び図６に示すように、注文が確定したときに、管理サーバー１２から購入者側の端末装置１６及び生産者側の端末装置１４に対して電子メールが送信される。
【０１６０】
［商品の登録処理］
商品の登録処理は、２種類のファイルを利用して行う。すなわち、ＭＦＧＣｌｉｅｎｔによって、出品したい商品情報を端末装置に保存して、当該保存した商品情報を管理サーバー１２の記憶部１２Ｂへアップロードする。ＭＦＧによって、管理サーバー１２の記憶部１２Ｂに登録されている商品情報のうち、公開したい商品情報を設定する。公開したい商品情報を設定することにより、購入者側の端末装置１６で閲覧可能になる。なお、商品の登録は、生産者又は生産購入者の場合に行うことができる。
【０１６１】
（商品の登録手順）
先ず、図２６に示すように、ＭＦＧ Ｃｌｉｅｎｔのファイルを開くと、ＭＦＧ Ｃｌｉｅｎｔ画面１３６が表示される。そして、「商品の入力１３８」をタップする。
【０１６２】
図２７に示すように、「商品の入力１３８」をタップすると、商品入力画面１４０が表示される。そして、商品の写真を登録する。このとき、「商品画像１」をタップすると、カメラ・写真から・クリアのインポートメニュー１４２が表示される。インポートメニュー１４２の「カメラ１４４」をタップすると、端末装置１４に付属しているカメラ等の撮影部１４Ｉが起動し、写真が撮影される。当該写真データは、写真情報挿入部１４Ｆによって商品入力画面１４０の所定の領域に挿入される。
【０１６３】
あるいは、インポートメニュー１４２の「写真から１４６」をタップすると、端末装置１４の記憶部１４Ｂに保存されている写真データが、写真情報挿入部１４Ｆによって商品入力画面１４０の所定の領域に挿入される。
【０１６４】
インポートメニュー１４２の「クリア１４８」をタップすると、商品の入力画面１４０の所定の領域に挿入されている写真情報が削除される。なお、写真情報の削除処理は、生産者側の端末装置１４の主制御部１４Ａにより実行する。
【０１６５】
図２８に示すように、商品の写真を登録した後、商品説明、品名、登録数等の商品情報を入力する。商品情報を全て入力した後、「保存１５０」をタップする。なお、情報入力処理は、生産者側の端末装置１４の情報入力部１４Ｄにより実行する。
【０１６６】
図２９に示すように、商品情報の保存が完了したとき、当該商品情報が端末装置１４の記憶部１４Ｂに一時的に保存される。このタイミングでは、商品情報が管理サーバー１２へ未だアップロードされていない。そして、ＯＫをタップした後に、画面右上の「保存一覧へ１５２」をタップする。
【０１６７】
図３０に示すように、「保存一覧へ１５２」をタップすると、保存一覧画面１５４が表示される。保存一覧画面１５４の「まとめて登録する１５６」をタップすると、端末装置１４の商品情報アップロード部１４Ｇによって保存一覧画面１５４に表示されている商品情報が管理サーバー１２の記憶部１２Ｂにアップロードされる。
【０１６８】
なお、端末装置１４の記憶部１４Ｂに一時的に保存した商品情報を削除する場合には、「削除１５８」をタップする。これにより、商品情報が主制御部１４Ａにより削除される。また、端末装置１４の記憶部１４Ｂに一時的に保存した商品情報を修正する場合には、「詳細画面へ１６０」をタップする。
【０１６９】
図３１に示すように、「詳細画面へ１６０」をタップすると、商品詳細画面１６２が表示される。商品詳細画面１６２の画面上で、「編集１６４」をタップして修正する。修正の完了後、図３０に示す保存一覧画面１５４に戻って、「まとめて登録する１５６」をタップする。これにより、修正後の商品情報が管理サーバー１２の記憶部１２Ｂにアップロードされる。
【０１７０】
なお、商品情報の管理サーバー１２に対するアップロードが完了した後、生産者側の端末装置１４の情報入力部１４Ｄを操作して、一旦、アプリケーションを終了する。その後、トップ画面からＭＦＧのアイコンをタップして、図７に示す「商品の編集メニュー２２」をタップする。
【０１７１】
図７に示す「商品の編集メニュー２２」をタップすると、図３２に示すように、掲載商品画面１６６が表示される。この掲載商品画面１６６では、管理サーバー１２の記憶部１２Ｂにアップロードされた商品情報の一覧が表示される。
【０１７２】
ここで、「非掲載」と表示されている商品は、表示制御部１２Ｃにより購入側の端末装置１６の液晶画面で表示されないように制御される。「非掲載」をタップすることにより、表示制御部１２Ｃにより「掲載中」と表示変更され、購入側の端末装置１６の液晶画面で表示可能に制御される。
【０１７３】
以上により、商品の登録が完了する。
【０１７４】
［商品の編集処理］
生産者又は生産購入者が商品の編集メニュー２２を選択して、掲載商品画面に移動する。
【０１７５】
図３２に示すように、掲載商品画面１６６の「設定数」として、管理サーバー１２の記憶部１２Ｂにアップロードされた商品の件数が表示される。図３２に示す「設定数１３／５０」は、５０商品が管理サーバー１２の記憶部１２Ｂに登録されており、そのうちの１３商品が出品中の状態を意味する。
【０１７６】
掲載商品画面１６６の「この商品の販売履歴１７０」を選択すると、販売履歴画面に切り替わり、この商品の販売履歴が表示される。
【０１７７】
掲載商品画面１６６の「非掲載・掲載の切り替え１７２」は、購入者側の端末装置１６に対して商品を表示させるか否かを切り替え可能にする。
【０１７８】
掲載商品画面１６６の「削除１７４」は、管理サーバー１２の記憶部１２Ｂに登録されている商品情報を削除可能にする。
【０１７９】
掲載商品画面１６６の「詳細画面へ１７６」は、商品詳細画面へ移動し、管理サーバー１２の記憶部１２Ｂに登録されている商品情報を編集可能にする。
【０１８０】
［マイプロフィールの編集処理］
図７に示すように、マイプロフィールメニュー２０を選択して、ユーザー情報表示画面に移動する。編集箇所を入力して、「変更」をタップする。写真の画像部分をタップすると、写真の登録が可能になる。
【符号の説明】
【０１８１】
１０      生花等の取引マッチングシステム
１２      管理サーバー
１２Ａ    主制御部
１２Ｂ    記憶部
１２Ｃ    表示制御部
１２Ｄ    情報入力部
１２Ｅ    報知部
１２Ｆ    在庫数調整部
１４      生産者側の端末装置
１４Ａ    主制御部
１４Ｂ    記憶部
１４Ｃ    表示制御部
１４Ｄ    情報入力部
１４Ｅ    商品情報登録部
１４Ｆ    写真情報挿入部
１４Ｇ    商品情報アップロード部
１４Ｈ    請求金額送信部
１４Ｉ    撮影部
１４Ｊ    入金確認部
１４Ｋ    商品発送部
１６      購入者側の端末装置
１６Ａ    主制御部
１６Ｂ    記憶部
１６Ｃ    表示制御部
１６Ｄ    情報入力部
１６Ｅ    商品注文部
１６Ｆ    購入依頼送信部
１６Ｇ    撮影部
１６Ｈ    送金部
１６Ｉ    商品受領部
【図１】
2016004512.tif 000003
【図２】
2016004512.tif 000004
【図３】
2016004512.tif 000005
【図４】
2016004512.tif 000006
【図５】
2016004512.tif 000007
【図６】
2016004512.tif 000008
【図７】
2016004512.tif 000009
【図８】
2016004512.tif 000010
【図９】
2016004512.tif 000011
【図１０】
2016004512.tif 000012
【図１１】
2016004512.tif 000013
【図１２】
2016004512.tif 000014
【図１３】
2016004512.tif 000015
【図１４】
2016004512.tif 000016
【図１５】
2016004512.tif 000017
【図１６】
2016004512.tif 000018
【図１７】
2016004512.tif 000019
【図１８】
2016004512.tif 000020
【図１９】
2016004512.tif 000021
【図２０】
2016004512.tif 000022
【図２１】
2016004512.tif 000023
【図２２】
2016004512.tif 000024
【図２３】
2016004512.tif 000025
【図２４】
2016004512.tif 000026
【図２５】
2016004512.tif 000027
【図２６】
2016004512.tif 000028
【図２７】
2016004512.tif 000029
【図２８】
2016004512.tif 000030
【図２９】
2016004512.tif 000031
【図３０】
2016004512.tif 000032
【図３１】
2016004512.tif 000033
【図３２】
2016004512.tif 000034